(57)【要約】【課題】自動的にフェムトセルのサーチを行いスムーズにフェムトセルへのセル移行を実現させる携帯電話装置等を提供すること。【解決手段】携帯電話装置１０は、ユーザ操作によりフェムトセルが設置された場所をＧＰＳ機能１１を用いて自装置自身に記憶し、そのフェムトセルが設置された場所付近に移動したときにフェムトセルのサーチを実行し、フェムトセルを検出した場合、そのフェムトセルに位置登録する。【選択図】図１
2010068408.tif 000002
【特許請求の範囲】
【請求項１】
ユーザ操作によりフェムトセルが設置された場所をＧＰＳ機能を用いて自装置自身に記憶し、そのフェムトセルが設置された場所付近に移動したときにフェムトセルのサーチを実行し、フェムトセルを検出した場合、そのフェムトセルに位置登録することを特徴とする携帯電話装置。
【請求項２】
前記フェムトセルの場所を記憶させる際に、その場所のマクロセルの情報も記憶させ、自装置が記憶したマクロセルに移動した場合にのみＧＰＳで現在地を確認することを特徴とする請求項１記載の携帯電話装置。
【請求項３】
ユーザ操作によりフェムトセルが設置された場所を自装置自身に記憶し、その際にその場所のマクロセルの情報も記憶させ、自装置がそのマクロセルに位置登録している場合で、且つそのマクロセルの受信レベルがある規定値を下回った場合にのみフェムトセルのサーチを実行し、フェムトセルを検出した場合、そのフェムトセルに位置登録することを特徴とする携帯電話装置。
【請求項４】
前記ユーザ操作に代えて、フェムトセルが他のマクロセルと異なるフェムトセル特有のＰＬＭＮまたは周波数を使用する場合、その特有のＰＬＭＮまたは周波数を検出した場合には、自動的にその場所にフェムトセルが存在することを自装置のメモリーに記憶することを特徴とする請求項１から３のいずれか１項に記載の携帯電話装置。
【請求項５】
ユーザ操作によりフェムトセルが設置された場所をＧＰＳ機能を用いて自装置自身に記憶し、そのフェムトセルが設置された場所付近に移動したときにフェムトセルのサーチを実行し、フェムトセルを検出した場合、そのフェムトセルに位置登録することを特徴とするフェムトセルサーチ方法。
【請求項６】
前記フェムトセルの場所を記憶させる際に、その場所のマクロセルの情報も記憶させ、自装置が記憶したマクロセルに移動した場合にのみＧＰＳで現在地を確認することを特徴とする請求項５記載のフェムトセルサーチ方法。
【請求項７】
ユーザ操作によりフェムトセルが設置された場所を自装置自身に記憶し、その際にその場所のマクロセルの情報も記憶させ、自装置がそのマクロセルに位置登録している場合で、且つそのマクロセルの受信レベルがある規定値を下回った場合にのみフェムトセルのサーチを実行し、フェムトセルを検出した場合、そのフェムトセルに位置登録することを特徴とするフェムトセルサーチ方法。
【請求項８】
前記ユーザ操作に代えて、フェムトセルが他のマクロセルと異なるフェムトセル特有のＰＬＭＮまたは周波数を使用する場合、その特有のＰＬＭＮまたは周波数を検出した場合には、自動的にその場所にフェムトセルが存在することを自装置のメモリーに記憶することを特徴とする請求項５から７のいずれか１項に記載のフェムトセルサーチ方法。
【請求項９】
携帯電話装置に、ユーザ操作によりフェムトセルが設置された場所をＧＰＳ機能を用いて自装置自身に記憶し、そのフェムトセルが設置された場所付近に移動したときにフェムトセルのサーチを実行し、フェムトセルを検出した場合、そのフェムトセルに位置登録する処理を実行させることを特徴とするプログラム。
【請求項１０】
前記フェムトセルの場所を記憶させる際に、その場所のマクロセルの情報も記憶させ、自装置が記憶したマクロセルに移動した場合にのみＧＰＳで現在地を確認する処理を実行させることを特徴とする請求項９記載のプログラム。
【請求項１１】
携帯電話装置に、ユーザ操作によりフェムトセルが設置された場所を自装置自身に記憶し、その際にその場所のマクロセルの情報も記憶させ、自装置がそのマクロセルに位置登録している場合で、且つそのマクロセルの受信レベルがある規定値を下回った場合にのみフェムトセルのサーチを実行し、フェムトセルを検出した場合、そのフェムトセルに位置登録する処理を実行させることを特徴とするプログラム。
【請求項１２】
前記ユーザ操作に代えて、フェムトセルが他のマクロセルと異なるフェムトセル特有のＰＬＭＮまたは周波数を使用する場合、その特有のＰＬＭＮまたは周波数を検出した場合には、自動的にその場所にフェムトセルが存在することを自装置のメモリーに記憶する処理を実行させることを特徴とする請求項９から１１のいずれか１項に記載のプログラム。
【発明の詳細な説明】
【技術分野】
【０００１】
本発明は、携帯電話装置のフェムトセルをサーチする技術に関する。
【背景技術】
【０００２】
通常の基地局は、半径数ｋｍの範囲をカバーし、一般的にマクロセルと呼ばれている。
【０００３】
現在の携帯電話サービスでは、２ＧＨｚの周波数帯を使用しているため、電波の直進性が強くマクロセルの基地局だけでは、屋内にまで十分な電波を送ることが難しく、またマクロセル同士の境界領域やビルの奥、地下等でも電波強度が微弱となり通信しづらい場所が発生していた。
【０００４】
これらを解消するために、「フェムトセル」と呼ばれる半径数十メートルの範囲のみ有効となる小型携帯電話基地局の設置が検討されている。
【０００５】
フェムトセルの設置方法としては、二通りの方法が考えられる。一つは従来のセルと同様に携帯電話事業者が主体となって設置する方法で、もう一つはユーザーが主体となって設置する方法である。
【０００６】
前者は携帯電話事業者が基地局と専用線を用意するため、ユーザーはマクロセルと同様にフェムトセルを利用できる。
【０００７】
一方、ユーザー主体となる後者の方法は、ブロードバンド回線を使用して携帯電話事業者のバックボーンに繋ぐことにより、ユーザーが好きな場所に設置することが可能となる。
【０００８】
関連技術として、端末利用者が能動的に基地局位置情報を活用できるようにし、端末利用者の利便性を向上させることを可能にした無線通信端末を提供する技術が提案されている。その構成は、基地局から通知される基地局固有の基地局位置情報を端末利用者側で能動的に活用する無線通信端末であって、端末利用者が予め基地局固有の基地局位置情報を登録しておき、基地局より取得した基地局位置情報と比較することにより、その比較結果により予め決めた端末動作を行う手順を実行する（例えば、特許文献１参照）。
【特許文献１】特開２０００−３５８２６９号公報
【発明の開示】
【発明が解決しようとする課題】
【０００９】
しかしながら、上述のユーザー主体となる後者の方法では、携帯電話事業者側では、どの場所にフェムトセルを設置したか把握できず、マクロセルで送信している報知情報（System Information）にフェムトセルの情報を入れることができない。
【００１０】
そのためマクロセルからフェムトセルが存在する場所に移動したとしても、ユーザーが何かしらの操作を実施し、フェムトセルを検出させないとフェムトセルに位置登録することができないと言った問題が発生するものと想像される。
【００１１】
これは、携帯電話装置では、報知情報に入っている隣接セルの情報を基にセル移動を実施しているためであり、その情報が無いセルに対してはセル移動することができないためである。
【００１２】
本発明は、以上のような課題を解決するためになされたもので、フェムトセルを設置した場所を携帯電話装置に記憶させ、その記憶した場所付近に携帯電話装置が移動した場合には、現在位置登録しているマクロセルの報知情報にフェムトセルの情報が入っていなくとも、自動的にフェムトセルのサーチを行いスムーズにフェムトセルへのセル移行を実現させる携帯電話装置、フェムトセルサーチ方法およびプログラムを提供することを目的とする。
【課題を解決するための手段】
【００１３】
本発明の第一の携帯電話装置は、ユーザ操作によりフェムトセルが設置された場所をＧＰＳ機能を用いて自装置自身に記憶し、そのフェムトセルが設置された場所付近に移動したときにフェムトセルのサーチを実行し、フェムトセルを検出した場合、そのフェムトセルに位置登録することを特徴とする。
【００１４】
また、本発明の第二の携帯電話装置は、ユーザ操作によりフェムトセルが設置された場所を自装置自身に記憶し、その際にその場所のマクロセルの情報も記憶させ、自装置がそのマクロセルに位置登録している場合で、且つそのマクロセルの受信レベルがある規定値を下回った場合にのみフェムトセルのサーチを実行し、フェムトセルを検出した場合、そのフェムトセルに位置登録することを特徴とする。
【００１５】
また、本発明の第一のフェムトセルサーチ方法は、ユーザ操作によりフェムトセルが設置された場所をＧＰＳ機能を用いて自装置自身に記憶し、そのフェムトセルが設置された場所付近に移動したときにフェムトセルのサーチを実行し、フェムトセルを検出した場合、そのフェムトセルに位置登録することを特徴とする。
【００１６】
また、本発明の第二のフェムトセルサーチ方法は、ユーザ操作によりフェムトセルが設置された場所を自装置自身に記憶し、その際にその場所のマクロセルの情報も記憶させ、自装置がそのマクロセルに位置登録している場合で、且つそのマクロセルの受信レベルがある規定値を下回った場合にのみフェムトセルのサーチを実行し、フェムトセルを検出した場合、そのフェムトセルに位置登録することを特徴とする。
【００１７】
また、本発明の第一のプログラムは、携帯電話装置に、ユーザ操作によりフェムトセルが設置された場所をＧＰＳ機能を用いて自装置自身に記憶し、そのフェムトセルが設置された場所付近に移動したときにフェムトセルのサーチを実行し、フェムトセルを検出した場合、そのフェムトセルに位置登録する処理を実行させることを特徴とする。
【００１８】
また、本発明の第二のプログラムは、携帯電話装置に、ユーザ操作によりフェムトセルが設置された場所を自装置自身に記憶し、その際にその場所のマクロセルの情報も記憶させ、自装置がそのマクロセルに位置登録している場合で、且つそのマクロセルの受信レベルがある規定値を下回った場合にのみフェムトセルのサーチを実行し、フェムトセルを検出した場合、そのフェムトセルに位置登録する処理を実行させることを特徴とする。
【発明の効果】
【００１９】
本発明によれば、フェムトセルを設置した場所を携帯電話装置に記憶させ、その記憶した場所付近に携帯電話装置が移動した場合には、現在位置登録しているマクロセルの報知情報にフェムトセルの情報が入っていなくとも、自動的にフェムトセルのサーチを行いスムーズにフェムトセルへのセル移行を実現させることが可能となる。
【発明を実施するための最良の形態】
【００２０】
以下、本発明の第一の実施の形態について図面を参照して詳細に説明する。図１に示す本実施の形態における携帯電話装置１０は、基本的な構成は既知の携帯電話装置の構成と同等である。
【００２１】
次に、本実施の形態における携帯電話装置のフェムトセルサーチ方法に関して、図２のフローチャートを用いて説明する。
【００２２】
まず、ステップ１０１でフェムトセルを設置した場所を記憶する。これは、ユーザーがフェムトセルを設置した場所で、携帯電話装置にて「フェムトセルの設置場所登録」等を選択することにより、携帯電話装置１０のＧＰＳ機能１１を用いて、現在地をフェムトセルの設置場所として携帯電話装置のメモリー１２内に記憶するものである。携帯電話装置のＣＰＵ１４等の制御により登録機能１３として実現されてもよい。
【００２３】
次に、ステップ１０２で定期的に携帯電話装置の現在地を、ＧＰＳ機能を用いて確認する。その結果、ステップ１０１で記憶したフェムトセルの設置場所とＧＰＳ機能で確認した現在地とを比較し、現在地がフェムトセルの設置場所の数十メートルのフェムトセルの有効範囲内であれば、つまりステップ１０３がＹｅｓであれば、ステップ１０４でフェムトセルのサーチを実施する。ＧＰＳ機能を用いて現在地を確認した結果、ステップ１０１で記憶したフェムトセルの設置場所と数十メール以上離れていた場合には、ステップ１０２での次の定期的な現在地確認までフェムトセルのサーチは実施しない。
【００２４】
ステップ１０４で実施したフェムトセルのサーチの結果、フェムトセルを検出した場合には、つまりステップ１０５がＹｅｓである場合、ステップ１０６で検出したフェムトセルに位置登録する。携帯電話装置のＣＰＵ１４等の制御により登録機能１３として実現されてもよい。
【００２５】
一方、フェムトセルを検出できなかった場合には、ステップ１０２で再度ＧＰＳ機能を用いて現在地を確認する。
【００２６】
上記の本実施の形態によれば、携帯電話装置にフェムトセルが設置された場所を記憶させ、記憶したフェムトセルが設置された場所の付近に携帯電話装置が移動した場合には、自動的にフェムトセルのサーチを実施し、フェムトセルを検出できた場合には、そのフェムトセルに位置登録することにより、フェムトセルが設置されているにも関わらず、そのフェムトセルに位置登録しない問題を解決するものである。
【００２７】
以下、本発明の第二の実施の形態について図面を参照して詳細に説明する。先の第一の実施の形態では、定期的にＧＰＳで現在地を確認することにより、現在地の付近にフェムトセルがあるか確認していたが、ＧＰＳを動作させる間隔を長くするとフェムトセルへの移行が遅くなり、ＧＰＳを動作させる間隔を短くすると電池の持ちが悪くなってしまうという問題が発生することが予想される。
【００２８】
そこで、フェムトセルの場所を記憶させる際に、その場所のマクロセルの情報も記憶させ、携帯電話装置が記憶したマクロセルに移動した場合にのみＧＰＳで現在地を確認することにより、電池の持ちも悪くならずに、且つ、フェムトセルへの移行も迅速に実施することが可能となる。
【００２９】
次に、本実施の形態における処理動作に関して、図３のフローチャートを用いて説明する。
【００３０】
まず、ステップ２０１でフェムトセルを設置した場所とその場所に存在するマクロセルを記憶する。これは、ユーザーがフェムトセルを設置した場所で、携帯電話装置にて「フェムトセルの設置場所登録」等を選択することにより、携帯電話装置のＧＰＳ機能を用いて、現在地をフェムトセル設置場所として携帯電話装置のメモリー内に記憶すると共に、その際に位置登録しているマクロセルのセル情報をメモリー内に記憶するものである。
【００３１】
次に、現在位置登録しているセルが、ステップ２０１で記憶したマクロセルと同一のセルの場合には、つまりステップ２０２がＹｅｓの場合には、ステップ２０３で定期的にＧＰＳ機能を用いて現在地の確認を実施する。
【００３２】
そして、ステップ２０１で記憶したフェムトセルの設置場所とＧＰＳ機能で確認した現在地を比較し、現在地がフェムトセルの設置場所の数十メートルのフェムトセルの有効範囲内であれば、つまりステップ２０４がＹｅｓの場合には、ステップ２０５でフェムトセルのサーチを実施する。
【００３３】
ＧＰＳ機能を用いて現在地を確認した結果、ステップ２０１で記憶したフェムトセルの設置場所と数十メール以上離れていた場合には、ステップ２０２に戻り位置登録しているセルが記憶しているマクロセルと同一のままであれば、ステップ２０３での次の定期的な現在地確認で再度フェムトセルのサーチを実施する。
【００３４】
ステップ２０５で実施したフェムトセルのサーチの結果、フェムトセルを検出した場合には、つまりステップ２０６がＹｅｓである場合、ステップ２０７で検出したフェムトセルに位置登録する。
【００３５】
一方、フェムトセルを検出できなかった場合には、ステップ２０２で現在位置登録しているマクロセルの確認を実施する。
【００３６】
以下、本発明の第三の実施の形態について図面を参照して詳細に説明する。先の第一、第二の実施の形態では、ＧＰＳを用いて現在地を確認していたが、ＧＰＳ機能を持ち合わせない携帯電話装置も存在する。そこで、ＧＰＳ機能を使用せずにフェムトセルへの位置登録を実施させる方法について述べる。
【００３７】
先の第二の実施の形態と同様にフェムトセルの場所を記憶させる際にその場所のマクロセルの情報を記憶させ、携帯電話装置がそのマクロセルに位置登録している場合で、且つそのマクロセルの受信レベルがある規定値を下回った場合にのみフェムトセルのサーチを実施する。
【００３８】
フェムトセルを検出した場合にはそのフェムトセルへの位置登録を実施することにより、ＧＰＳ機能を使用せずにフェムトセルへの移行が実施可能となる。
【００３９】
次に、本実施の形態における処理動作に関して、図４のフローチャートを用いて説明する。
【００４０】
まず、ステップ３０１でフェムトセルを設置した場所に存在するマクロセルを記憶する。これは、ユーザーがフェムトセルを設置した場所で、携帯電話装置にて「フェムトセルの設置場所登録」等を選択することにより、フェムトセルを設置した場所に存在するマクロセル、つまり現在位置登録しているマクロセルの情報をメモリー内に記憶するものである。
【００４１】
次に、現在位置登録しているセルが、ステップ３０１で記憶したマクロセルと同一のセルの場合には、つまりステップ３０２がＹｅｓの場合には、ステップ３０３でそのマクロセルの受信レベルがある規定値より下回っているか確認する。ある規定値に関しては、ステップ３０１でマクロセルの情報を記憶する際の受信レベルを参考に決定しても良いし、又は、一律に受信特性が劣化する値で規定しても良い。
【００４２】
ステップ３０３でマクロセルの受信レベルがある規定値より下回っていた場合には、ステップ３０４でフェムトセルのサーチを行い、フェムトセルを検出した場合には、つまりステップ３０５がＹｅｓの場合には、ステップ３０６でフェムトセルに位置登録を実施する。
【００４３】
ステップ３０３でマクロセルの受信レベルがある規定値を上回っていた場合や、ステップ３０５でフェムトセルを検出できなかった場合には、ステップ３０２の位置登録しているセルが記憶したマクロセルと同一セルか確認するフェーズに戻る。
【００４４】
さらに、先の各実施の形態では、何れもユーザー操作により、フェムトセルが存在する場所を携帯電話装置のメモリー内に記憶させていたが、フェムトセルが他のマクロセルと異なるフェムトセル特有のＰＬＭＮや周波数を使用するのであれば、その特有のＰＬＭＮや周波数を検出した場合には、自動的にその場所にフェムトセルが存在することを携帯電話装置のメモリーに記憶することであってもよい。
【００４５】
なお、上述する各実施の形態は、本発明の好適な実施の形態であり、本発明の要旨を逸脱しない範囲内において種々変更実施が可能である。例えば、携帯電話装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、装置の機能が他の装置によりまとめて実現されたり、追加の装置により機能が分散されて実現される形態も本発明の範囲内である。
【図面の簡単な説明】
【００４６】
【図１】本発明の第一の実施の形態に係る携帯電話装置の構成を示す図である。
【図２】本発明の第一の実施の形態に係る処理動作を示すフローチャートである。
【図３】本発明の第二の実施の形態に係る処理動作を示すフローチャートである。
【図４】本発明の第三の実施の形態に係る処理動作を示すフローチャートである。
【符号の説明】
【００４７】
１０    携帯電話装置
１１    ＧＰＳ機能
１２    メモリー
１３    登録機能
１４    ＣＰＵ
【図１】
2010068408.tif 000003
【図２】
2010068408.tif 000004
【図３】
2010068408.tif 000005
【図４】
2010068408.tif 000006